(57)【要約】【課題】  従来の種々の展示体（壁面／卓上用展示品／用具）は一体化不変構造体であり、通常、絵画、記念写真などの展示品を長期保存し、固定展示するための用具はあるが、近年、増大する種々の情報カ−ド、電子表示パネル、特殊効果（立体、音声、光反射他）印刷物／成型品などの新たな多様に変化する用途に適当でなく対応できない。【解決手段】  所要数の起立部を有し、起立部に機械結合手段および／または磁気結合手段を備え、展示体を交換組合自在に結合して一体的展示構成体とする展示用支持体。【選択図】  図３
0003154458.tif 000002
【実用新案登録請求の範囲】
【請求項１】
所要数の起立部を有し、起立部に機械結合手段および／または磁気結合手段を備え、展示体を交換組合自在に結合して一体的展示構成体とする展示用支持体。
【請求項２】
所要数の起立部が固定角および／または可変角に設定できることを特徴とする請求項１記載の展示用支持体。
【請求項３】
請求項１又は２に記載する展示用支持体に結合した展示構成体。
【考案の詳細な説明】
【技術分野】
【０００１】
本考案は、簡易に交換組合展示をするための展示用支持体に関する。
【背景技術】
【０００２】
従来、特定寸法の絵画用額縁や写真用フレ−ム／スタンドなど種々の展示体（壁面／卓上用展示品／用具）がある。
【考案の概要】
【考案が解決しようとする課題】
【０００３】
従来の種々の展示体（壁面／卓上用展示品／用具）は一体化不変構造体であり、通常、絵画、記念写真などの展示品を長期保存し、固定展示するための用具はあるが、近年、増大する種々の情報カ−ド、電子表示パネル、特殊効果（立体、音声、光反射他）印刷物／成型品などの新たな多様に変化する用途に適当でなく対応できないという問題がある。
【課題を解決するための手段】
【０００４】
請求項１記載の本考案は、所要数の起立部を有し、起立部に機械結合手段および／または磁気結合手段を備え、展示体を交換組合自在に結合して一体的展示構成体とするものである。
請求項２記載の本考案は、所要数の起立部が固定角および／または可変角に設定できることを特徴とするものである。
【考案の効果】
【０００５】
本考案は上記のような構成としたものなので、種々の情報カ−ド、電子表示パネル、特殊効果印刷物／成型品などの展示体（展示品／用具）を起立部の機械結合手段および／または磁気結合手段により交換組合自在に支持体に結合して一体的展示構成体とし、簡易、迅速に保持展示することができる。また、複数の関連展示体を安定な対向組合構成体として相乗効果的な展示も可能となる。さらに、支持体を最適傾斜角に調整して展示体を保持し、特有な光学的（ホログラム、偏光等）視覚効果を高めることができる。
【図面の簡単な説明】
【０００６】
【図１】展示用支持体の平面図。
【図２】同展示用支持体の側面図。
【図３】実施例１の展示構成体の側面図。
【図４】実施例２の展示構成体の側面図。
【図５】実施例３の展示構成体の側面図。
【考案を実施するための形態】
【０００７】
以下、本考案の実施の形態について、図面を参照しながら説明する。なお、このような実施の形態によって、本考案が限定されるものではない。
図１は展示用支持体Ｓの平面図であり、支持体Ｓは適当な板材、例えば、合成樹脂ＰＥＴ板から成り、折曲線／ヒンジ加工した所要数の起立線Ｈ１、Ｈ２、Ｈ３を適当間隔に形成し、線区分された基部１、起立部２、３、４を有する。各起立部は機械結合手段Ｋおよび／または磁気結合手段Ｊとして使用される。例えば、起立部２自体は機械結合のため使用され、起立部４は磁気結合手段Ｊとして着磁板（磁性板）Ｍ１を備え、さらに、必要ならば、機械結合のため面ファスナ−Ｆ１を並設してもよい。また、基部１に固定溝５を形成して、起立部４の右側辺を嵌入し三角形固定できるようにしてもよい。
図２は支持体Ｓの側面図であり、起立線Ｈ１〜Ｈ３の折曲線／ヒンジ加工側面を示す。  
【実施例１】
【０００８】
図３は支持体Ｓの展示構成体の側面図であり、支持体Ｓの起立部２を折曲線加工起立線Ｈ１により固定角Ｘに傾斜させ、展示体Ｄ１、例えば、クリアケ−スの適当に形成した結合溝Ｃ１に挿入し、両体を機械結合させて、Ｄ１Ｘ傾斜展示構成体とする。他方、起立部３と４をヒンジ加工起立線Ｈ２により適度な傾斜の可変角Ｙに起立させ、展示体Ｄ２、例えば、全体または結合部Ｍ２が磁性体からなる成型品、例えば、案内板、立体プラモデルなどを着磁部Ｍ１に磁気結合させてＤ２Ｙ傾斜展示構成体とする。このようにしてＤ１Ｄ２対向配置の安定した展示構成体として、交換組合自在に関連展示効果が得られる。ここで展示体Ｄ１、Ｄ２は、各々単独に展示できることは勿論である。
【実施例２】
【０００９】
図４は支持体Ｓの他展示構成体の側面図であり、ヒンジ加工した起立線Ｈ１、Ｈ２、Ｈ３により起立部２、３、４を、各々、適当傾斜角に設定する。軽量成型品、例えば、写真フレ−ム、ミニキャラクタなどの展示体Ｄ３は磁性体からなる結合部Ｍ３および／または面ファスナ−Ｆ２を備え、支持体Ｓに着磁部Ｍ１および／またはＦ１により磁気結合および／または機械結合させて中間保持する展示構成体として、空中浮遊展示効果が得られる。  
【実施例３】
【００１０】
図５は支持体Ｓの別展示構成体の側面図であり、支持体Ｓの起立部２、３、４を各々適当傾斜角で起立させ、起立部４の右側辺を基部１に設けた固定溝５に嵌入して、所定の固定角Ｚ三角形に固定し、展示体Ｄ４、例えば、電子表示パネルなどを対面起立部２と４で形成される結合溝Ｃ２に安定に傾斜保持する展示構成体として、変動展示効果が得られる。ここで電力／信号ケ−ブルまたは照明用の接続部６は適当に配置すればよい。
【産業上の利用可能性】
【００１１】
異なる種々の展示体Ｄ１〜Ｄ４と展示用支持体Ｓを、機械結合手段Ｋおよび／または磁気結合手段Ｊにより簡便、迅速に交換組合自在に結合して最適展示構成体として多様で訴求的な展示効果が得られる。また、展示体と支持体は各構成部材として修理、保管、管理が容易となり経済的であり、実用的便益は大である。
【符号の説明】
【００１２】
Ｊ：磁気結合手段                      Ｍ１：着磁部
Ｋ：機械結合手段                      Ｍ２：結合部
Ｘ：固定角Ｙ                          Ｍ３：結合部
Ｙ：可変角                            Ｈ１：起立線
Ｓ：展示用支持体Ｘ                    Ｈ２：起立線
Ｃ１：結合溝                          Ｈ３：起立線
Ｃ２：結合溝
Ｄ１：展示体                          １：基部
Ｄ２：展示体                          ２：起立部
Ｄ３：展示体                          ３：起立部
Ｄ４：展示体                          ４：起立部
Ｆ１：面ファスナ−                    ４：起立部
Ｆ２：面ファスナ−                    ５：固定溝
６：接続部
【図１】
0003154458.tif 000003
【図２】
0003154458.tif 000004
【図３】
0003154458.tif 000005
【図４】
0003154458.tif 000006
【図５】
0003154458.tif 000007
【手続補正書】
【提出日】平成21年8月11日(2009.8.11)
【手続補正１】
【補正対象書類名】実用新案登録請求の範囲
【補正対象項目名】全文
【補正方法】変更
【補正の内容】
【実用新案登録請求の範囲】
【請求項１】
所用数の起立部を有し、起立部に機械結合手段及び／又は磁気結合手段を備え、各対応結合手段を有する展示体を交換組合自在に結合して一体的展示構成体とする展示用支持体。
【請求項２】
所用数の起立部の一部は固定角に、他部は可変角に設定できることを特徴とする請求項１記載の展示用支持体。
【請求項３】
請求項１又は請求項２に記載する展示用支持体に結合した展示構成体。